(57)【要約】【課題】互いに異なる特性を持つ複数のＩＣタグが設けられる場合でも混信を防止できる撮像装置を提供する。【解決手段】デジタルカメラ(撮像装置)１の前面には、撮像装置の不使用時に撮影レンズを覆う金属製のスライドカバー１７が設けられるとともに、電源内蔵タイプのＩＣタグＴ１と電源非内蔵タイプのＩＣタグＴ２とが貼付されている。そして、スライドカバー１７の移動によってＩＣタグＴ１とＩＣタグＴ２とは択一的にスライドカバー１７で覆われる構成となっている。これにより、撮像装置の使用時にはＩＣタグＴ１のみ通信可能な状態にできるとともに、撮像装置の不使用時にはＩＣタグＴ２のみ通信可能な状態にできる。その結果、互いに異なる特性を持つ複数のＩＣタグについての混信を防止できることとなる。【選択図】図９
2006208674.tif 000002
【特許請求の範囲】
【請求項１】
撮像装置であって、
(a)前記撮像装置の使用時に対応する第１位置と、前記撮像装置の不使用時に対応する第２位置との間で移動可能な移動部材と、
(b)前記撮像装置に係る情報を記憶し、前記第２位置の移動部材によって覆われるが前記第１位置の移動部材によっては覆われない箇所に設けられる第１のＩＣタグと、
(c)前記撮像装置に係る情報を記憶し、前記第１位置の移動部材によって覆われるが前記第２位置の移動部材によっては覆われない箇所に設けられる第２のＩＣタグと、
を備え、
前記第１のＩＣタグと前記第２のＩＣタグとは、互いに異なる特性を有することを特徴とする撮像装置。
【請求項２】
請求項１に記載の撮像装置において、
前記第１のＩＣタグは、前記第１のＩＣタグ内の電源または前記撮像装置内の電源から電力供給を受けるＩＣタグであり、
前記第２のＩＣタグは、前記電力供給を受けないＩＣタグであることを特徴とする撮像装置。
【請求項３】
請求項１に記載の撮像装置において、
前記第１のＩＣタグと前記第２のＩＣタグとは、周波数特性が異なっており、
前記第１のＩＣタグは、前記第２のＩＣタグより高い周波数を利用することを特徴とする撮像装置。
【請求項４】
請求項１ないし請求項３のいずれかに記載の撮像装置において、
前記移動部材は、少なくとも撮影レンズを覆う金属製の部材であることを特徴とする撮像装置。
【発明の詳細な説明】
【技術分野】
【０００１】
本発明は、複数のＩＣタグが設けられる撮像装置に関する。
【背景技術】
【０００２】
物流の管理においては、商品に貼付されるバーコードに代わって、無線による情報送信が可能なＩＣタグの利用が始まっている。このＩＣタグの応用としては、例えば特許文献１に開示されているように、被写体が保持するＩＣタグから被写体の情報をデジタルカメラ(撮像装置)で取得する技術が提案されている。
【０００３】
ＩＣタグの種類としては、ＩＣタグ内に電源を持たず外部のリーダー／ライターから発信された電波のエネルギーを利用してＩＣタグの記憶情報を送信する電源非内蔵タイプ(パッシブタイプ)と、ＩＣタグ内に電源を持ち能動的にＩＣタグの記憶情報を送信できる電源内蔵タイプ(アクティブタイプ)とに分けられる。
【０００４】
電源非内蔵タイプのＩＣタグについては、ＩＣタグが設けられる機器の電源が異常である場合（例えば電池が装填されていない場合）や、機器が壊れている場合でも通信を行えるという長所がある反面、一般的に通信距離が短く、記憶可能なデータ量も少ないという短所がある。一方、電源内蔵タイプのＩＣタグは、電源非内蔵タイプのＩＣタグに比べて通信距離が長く、記憶可能なデータ量も多いという長所を有している。
【０００５】
【特許文献１】特開２００３−１７４５７８号公報
【発明の開示】
【発明が解決しようとする課題】
【０００６】
しかしながら、上述のように互いに異なる特性を持つ電源内蔵タイプのＩＣタグと電源非内蔵タイプのＩＣタグとはそれぞれ一長一短があるため、互いの長所を活かす併用を行うことが考えられるが、単に併用したのでは双方のＩＣタグがリーダからの電波に反応して混信が生じ、リーダ側で正確にＩＣタグの情報を受信できないという問題がある。
【０００７】
本発明は、上記課題に鑑みてなされたものであり、互いに異なる特性を持つ複数のＩＣタグが設けられる場合でも混信を防止できる撮像装置を提供することを目的とする。
【課題を解決するための手段】
【０００８】
上記の課題を解決するため、請求項１の発明は、撮像装置であって、(a)前記撮像装置の使用時に対応する第１位置と、前記撮像装置の不使用時に対応する第２位置との間で移動可能な移動部材と、(b)前記撮像装置に係る情報を記憶し、前記第２位置の移動部材によって覆われるが前記第１位置の移動部材によっては覆われない箇所に設けられる第１のＩＣタグと、(c)前記撮像装置に係る情報を記憶し、前記第１位置の移動部材によって覆われるが前記第２位置の移動部材によっては覆われない箇所に設けられる第２のＩＣタグとを備え、前記第１のＩＣタグと前記第２のＩＣタグとは、互いに異なる特性を有する。
【０００９】
また、請求項２の発明は、請求項１の発明に係る撮像装置において、前記第１のＩＣタグは、前記第１のＩＣタグ内の電源または前記撮像装置内の電源から電力供給を受けるＩＣタグであり、前記第２のＩＣタグは、前記電力供給を受けないＩＣタグである。
【００１０】
また、請求項３の発明は、請求項１の発明に係る撮像装置において、前記第１のＩＣタグと前記第２のＩＣタグとは、周波数特性が異なっており、前記第１のＩＣタグは、前記第２のＩＣタグより高い周波数を利用する。
【００１１】
また、請求項４の発明は、請求項１ないし請求項３のいずれかの発明に係る撮像装置において、前記移動部材は、少なくとも撮影レンズを覆う金属製の部材である。
【発明の効果】
【００１２】
請求項１ないし請求項４の発明によれば、撮像装置に係る情報を記憶する第１のＩＣタグは、撮像装置の不使用時に対応する第２位置の移動部材によって覆われるが撮像装置の使用時に対応する第１位置の移動部材によっては覆われない箇所に設けられるとともに、第１のＩＣタグと異なる特性を有する第２のＩＣタグは、第１位置の移動部材によって覆われるが第２位置の移動部材によっては覆われない箇所に設けられる。その結果、互いに異なる特性を持つ複数のＩＣタグについての混信を防止できる。
【００１３】
特に、請求項２の発明においては、第１のＩＣタグは第１のＩＣタグ内の電源または撮像装置内の電源から電力供給を受けるＩＣタグであり、第２のＩＣタグは電力供給を受けないＩＣタグであるため、撮像装置の使用時と不使用時とで複数のＩＣタグの適切な使分けが可能である。
【００１４】
また、請求項３の発明においては、第１のＩＣタグと第２のＩＣタグとは周波数特性が異なっており、第１のＩＣタグは第２のＩＣタグより高い周波数を利用するため、撮像装置の使用時と不使用時とで複数のＩＣタグの適切な使分けが可能である。
【００１５】
また、請求項４の発明においては、移動部材は、少なくとも撮影レンズを覆う金属製の部材であるため、レンズカバーなどの部材を利用して省スペース化を図れるとともに、金属製レンズカバーで覆われるＩＣタグの通信を遮断するため、確実に混信を防止できる。
【発明を実施するための最良の形態】
【００１６】
＜撮像装置の構成＞
図１および図２は、本発明の実施形態に係る撮像装置１の外観構成を示す斜視図である。図１は撮像装置１の使用時の状態を示しており、図２は撮像装置１の不使用時の状態を示している。
【００１７】
撮像装置１は、例えばデジタルカメラとして構成されており、金属製の前カバー１１と後カバー１２とで筐体を形成している。
【００１８】
前カバー１１には、２つの開口Ｈ１、Ｈ２が設けられている。開口Ｈ１は、撮影レンズ３０に被写体からの光を導くために設けられたもので、例えばプラスチック製の透明な窓１３が嵌め込まれている。同様に、開口Ｈ２にも例えばプラスチック製の透明な窓１４が嵌め込まれており、この窓１４の奥には、ファインダ１５とフラッシュ１６とが並設されている。そして、窓１４の裏面には、後述するＩＣタグＴ１がファインダ１５とフラッシュ１６との間に貼付されている。
【００１９】
前カバー１１には、Ｙ方向に移動可能な金属製のスライドカバー１７が設けられている。このスライドカバー１７は、撮影時など撮像装置１の使用時には使用位置Ｐ１(図１)に配置されるとともに、撮像装置１の不使用時には使用位置Ｐ１から上昇した不使用位置Ｐ２(図２)に配置されて開口Ｈ１、Ｈ２を遮蔽する。ここで、スライドカバー１７が使用位置(第１位置)Ｐ１から不使用位置(第２位置)Ｐ２に移動することによって、前カバー１１に貼付されたシール２０が露出されるが、このシール２０の裏面にはＩＣタグＴ１と異なる特性を有するＩＣタグＴ２(後述)が設けられている。
【００２０】
撮像装置１の上面側には、撮影指示を行うためのレリーズボタン１８と、撮像装置１の電源をオン・オフするための電源スイッチ１９が設けられている。
【００２１】
撮像装置１の側面側には、撮影者が撮像装置１を把持するためのグリップ部２１が設けられている。このグリップ部２１は、バッテリーが装着される撮像装置１内のバッテリー室を覆う蓋としても機能する。
【００２２】
図３は、撮像装置１の機能構成を示すブロック図である。
【００２３】
撮像装置１では、窓１３の奥に設けられた撮影レンズ３０を介して光が撮像部３３に入射される。この撮影レンズ３０は、ズームレンズ３１とフォーカスレンズ３２とを有している。
【００２４】
撮像部３３は、絞りと、例えばＣＣＤとして構成される撮像素子とを備えており、撮影レンズ３０によって結像された被写体の光像を光電変換して画像信号を生成する。
【００２５】
撮像部３３で生成された画像信号は画像処理部３４に入力され、画像処理部３４において例えばＡ／Ｄ変換やホワイトバランス補正、γ補正などの処理が施される。この画像処理部３４で処理された画像データについては、撮像装置１に着脱可能な記録媒体として働くメモリカード９に記録されたり、ＬＣＤ(Liquid Crystal Display)３５に表示される。なお、ＬＣＤ３５では、被写体のプレビュー表示や記録画像の再生表示等が可能となっている。
【００２６】
露出制御部３６は、全体制御部４０からの制御信号に基づき、撮像部３３における絞りと撮像素子の露光時間とを制御する。
【００２７】
焦点調節部３７は、全体制御部４０での焦点検出結果に基づいてフォーカスレンズ３２を駆動する。
【００２８】
ズーム制御部３８は、ズームレンズ３１を駆動し、焦点距離を変更する部位である。
【００２９】
操作部３９は、上述したレリーズボタン１８や電源スイッチ１９、後カバー１２に設けられている撮影／再生モード選択スイッチ(不図示)などを有しており、撮影者からの操作入力を受け付ける。
【００３０】
全体制御部４０は、コンピュータとして働くＣＰＵおよびメモリを有しており、撮像装置１の各部を統括的に制御する。また、全体制御部４０は、後述するようにＩＣタグＴ１からの情報送信を制御する。
【００３１】
電源部４１は、バッテリーによって撮像装置１の各部に電力を供給する部位である。
【００３２】
＜ＩＣタグＴ１、Ｔ２について＞
図４は、ＩＣタグＴ１の要部構成を示す平面図である。
【００３３】
ＩＣタグＴ１は、ＩＣチップとして構成されるメモリ部５０と、渦巻き状のアンテナ５１とを備えている。
【００３４】
メモリ部５０は、図５に示すような撮像装置１に関する情報やユーザ情報を記憶する。
【００３５】
ＩＣタグＴ１は、電池を有する電源部５２が設けられた電源内蔵タイプ（アクティブタイプ）として構成されている。このようにＩＣタグＴ１はタグ内の電源から電力供給を受けることが可能であるため、後述する電源非内蔵タイプのＩＣタグＴ２に比べて、遠距離通信が可能となるとともに、メモリ部５０に記憶する情報量も多くなるという利点がある。この利点を生かし、ＩＣタグＴ１ではネットワークなどに接続する際に必要とされるような高度な情報を記録し発信できる。
【００３６】
ＩＣタグＴ１では、電源部５２に電気的に接続する全体制御部４０からの制御信号により、アンテナ５１からの情報送信の実行・不実行を選択することが可能となっている。
【００３７】
また、ＩＣタグＴ１は、不使用位置Ｐ２にあるスライドカバー１７(図２)によって覆い隠されるが、使用位置Ｐ１にあるスライドカバー１７(図１)によっては覆われない箇所に設けられている。これにより、ＩＣタグＴ１は、撮像装置１が使用状態でスライドカバー１７が使用位置Ｐ１にある場合には通信可能な状態となるが、撮像装置１が不使用状態でスライドカバー１７が不使用位置Ｐ２にある場合にはＩＣタグＴ１を覆う金属製のスライドカバー１７によって電波が遮蔽されるため、通信不可能な状態となる。
【００３８】
図６は、ＩＣタグＴ２の要部構成を示す平面図である。
【００３９】
ＩＣタグＴ２は、図７に示すような撮像装置１に関する情報を記憶するメモリ部６０と、ＩＣタグＴ１と同様のアンテナ６１とを備えているが、ＩＣタグＴ１が有していた電源部が設けられずタグ内の電源から電力供給を受けない電源非内蔵タイプ（パッシブタイプ）として構成されている。よって、ＩＣタグＴ２では、ＩＣタグＴ２の情報を読出す外部のリーダーから送られる電波のエネルギーを利用してメモリ部６０内の情報が送信される。このＩＣタグＴ２はＩＣタグＴ１に比べて記憶可能な情報量が少なく、通信距離が短いものであるため、撮像装置１の識別などに必要となる最低限の情報を含むように、ＩＣタグＴ１の記憶情報(図５参照)のうち例えば撮像装置１の製品情報のみが抽出されて記憶される(図７参照)。一方、ＩＣタグＴ２は、撮像装置１の状態に関わらずリーダーからの電波によって情報通信が可能であるため、例えば撮像装置１が故障して起動しない場合でも、撮像装置１の識別情報等(図７)をリーダーが受信でき、この情報を修理などのサービスに利用できる。
【００４０】
また、ＩＣタグＴ２は、使用位置Ｐ１にあるスライドカバー１７(図１)によって覆われるが、不使用位置Ｐ２にあるスライドカバー１７(図２)によっては覆われない箇所に設けられている。これにより、ＩＣタグＴ２は、撮像装置１が不使用状態でスライドカバー１７が不使用位置Ｐ２にある場合には通信可能な状態となるが、撮像装置１が使用状態でスライドカバー１７が使用位置Ｐ１にある場合にはＩＣタグＴ２を覆う金属製のスライドカバー１７によって電波が遮蔽されるため、通信不可能な状態となる。
【００４１】
以上のような特性の異なるＩＣタグＴ１、Ｔ２を有する撮像装置１の動作を、以下で説明する。
【００４２】
＜撮像装置１の動作＞
図８は、撮像装置１の基本的な動作を示すフローチャートである。本動作は、全体制御部４０によって実施される。
【００４３】
ステップＳ１では、撮影者による電源スイッチ１９の操作により、撮像装置１の電源がオンになったか否かを判定する。ここで、電源オンされた場合には、スライドカバー１７が撮影者によって図１に示す使用位置Ｐ１に移動された後にステップＳ２に進み、電源オンされていない場合には、ステップＳ８に進む。
【００４４】
ステップＳ２では、電源部４１によって撮像装置１の内部に電力を供給する。
【００４５】
ステップＳ３では、ＩＣタグＴ１による情報送信を行う。具体的には、全体制御部４０がＩＣタグＴ１の送信機能を能動化し、メモリ部５０に記憶される情報(図５参照)が発信される。これにより、リーダーを有する外部機器では、メモリ部５０内の情報を読み取ることが可能となる。
【００４６】
ステップＳ４では、撮像装置１において通常の撮影処理や、記録された撮影画像の再生処理などが行われる。
【００４７】
ステップＳ５では、撮影者による電源スイッチ１９の操作により、撮像装置１の電源がオフになったか否かを判定する。ここで、電源オフされた場合には、スライドカバー１７が撮影者によって図２に示す不使用位置Ｐ２に移動された後にステップＳ６に進み、電源オフされていない場合には、ステップＳ３に戻る。
【００４８】
ステップＳ６では、ＩＣタグＴ１による情報送信を停止する。具体的には、全体制御部４０がＩＣタグＴ１の送信機能を不能化する。
【００４９】
ステップＳ７では、撮像装置１の内部への電力供給を停止する。
【００５０】
ステップＳ８では、ＩＣタグＴ２による情報送信を行う。具体的には、ＩＣタグＴ２のメモリ部６０に記憶される情報(図７参照)が発信可能となる。これにより、リーダーを有する外部機器では、メモリ部６０内の情報を読み取ることが可能となる。
【００５１】
以上の動作により、電源がオフとなる撮像装置１の不使用時には、電源非内蔵タイプのＩＣタグＴ２のみ通信可能にできるとともに、電源がオンとなる撮像装置１の使用時には、ＩＣタグＴ２が金属製のスライドカバー１７により遮蔽されるため、電源内蔵タイプのＩＣタグＴ１のみ通信可能にできる。すなわち、撮影レンズ３０を覆うスライドカバー１７が、使用位置Ｐ１(図１)と不使用位置Ｐ２(図２)との間を択一的に移動することにより、必ず一方のＩＣタグがスライドカバー１７に隠れるため、電波が遮蔽されることとなる。これにより、一度に２つのＩＣタグＴ１、Ｔ２がリーダーからの電波に反応して混信が生じ、リーダ側で正確にＩＣタグの情報を受信できないという問題を回避できる。
【００５２】
以上のような撮像装置１を適用した情報伝送システムの具体例を説明する。
【００５３】
図９は、撮像装置１を有する情報伝送システム７の構成を示す概念図である。
【００５４】
情報伝送システム７は、上述した撮像装置１を備えるとともに、例えばＬＡＮなどのネットワークＮＷを介して撮像装置１と通信可能に接続するデジタルテレビ（ＤＴＶ）７０を備えている。
【００５５】
ＤＴＶ７０は、表示画面７１を有するとともに、ＩＣタグＴ１、Ｔ２内の情報の読取りが可能なリーダー７２を備えている。このＤＴＶ７０では、上述したように撮像装置１が使用状態の場合にはスライドカバー１７によってＩＣタグＴ２が隠れるため、ＩＣタグＴ１からの情報のみを取得できる。
【００５６】
以上のような情報伝送システム７によれば、例えばＤＴＶ７０がＩＣタグＴ１からネットワーク接続に関する情報（図５に示すユーザＩＤやパスワード等）を取得し認証した後に、撮像装置１に記録される撮影画像をネットワークＮＷを介して受信し表示画面７１に表示させることが可能となる。
【００５７】
また、複数のＩＣタグＴ１、Ｔ２を有する撮像装置１がＤＴＶ７０の近傍に複数存在する場合には、ＤＴＶ７０は複数の撮像装置からの情報を受信して混信する可能性がある。このような場合、混信を避けるためには交信すべき撮像装置を選択する必要がある。そこで、情報伝送システム７においては、交信が必要な撮像装置１の電源をオンしてスライドカバー１７を開けるとともに、交信が不要な撮像装置１の電源をオフしてスライドカバー１７を閉じることにより、電源オンされた撮像装置１のＩＣタグＴ１のみとの交信が可能な状態として混信の問題を解消できる。例えば、ネットワーク接続に関する情報をＩＣタグＴ１に記憶しておけば、指定した撮像装置１内の画像のみをＤＴＶ７０で再生できることとなる。
【００５８】
以上のような撮像装置１の構成および動作により、撮像装置の使用時・不使用時に開閉されるスライドカバーによって一方のＩＣタグの情報送信を不能にするため、互いに異なる特性を持つ複数のＩＣタグについての混信を防止できる。また、撮像装置に電源非内蔵タイプのＩＣタグが装着されているため、撮像装置にバッテリーが入っていない場合や撮像装置の故障時など、電源内蔵タイプのＩＣタグが通信不能状態に陥っている場合でも、撮像装置の修理などに必要なカメラの識別情報を外部のリーダー、例えばサービスセンターの検査装置に設けられたリーダーで読み出すことが可能になる。
【００５９】
＜変形例＞
◎上記の実施形態における撮像装置においては、電源スイッチ１９によって電源のオン・オフを行うのは必須でなく、スライドカバーの開閉に連動して電源のオン・オフを行うようにしても良い。すなわち、スライドカバー１７が図１に示す使用位置Ｐ１にある場合には電源が自動的にオンされ、スライドカバー１７が図２に示す不使用位置Ｐ２にある場合には電源が自動的にオフされるような構成でも良い。
【００６０】
◎上記の実施形態におけるＩＣタグＴ１については、ＩＣタグＴ１内の電源から電力供給を受けるのは必須でなく、撮像装置１内の電源部４１(図３)から電力供給を受けるようにしても良い。
【００６１】
◎上記の実施形態における２個のＩＣタグＴ１、Ｔ２については、電源内蔵タイプと電源非内蔵タイプとの組合せであることは必須でなく、周波数特性が異なる２タイプを組合せるようにしても良い。この場合、周波数により通信距離が異なるため、撮像装置１の使用時に通信可能で、かつネットワーク接続に必要な情報が記憶されたＩＣタグＴ１に適用される周波数をＩＣタグＴ２の周波数より高くするようにしても良い。これにより遠距離まで通信が可能となりネットワーク接続を行う際の利便性を向上することができる。
【００６２】
◎上記の実施形態においては、各ＩＣタグＴ１、Ｔ２の露出・遮蔽を切替える移動部材として撮影レンズ３０およびフラッシュ１６等を覆うスライドカバー１７(図１)を利用するのは必須でなく、撮影レンズのみを覆うレンズカバーを利用しても良い。
【図面の簡単な説明】
【００６３】
【図１】本発明の実施形態に係る撮像装置１の外観構成を示す斜視図である。
【図２】撮像装置１の外観構成を示す斜視図である。
【図３】撮像装置１の機能構成を示すブロック図である。
【図４】ＩＣタグＴ１の要部構成を示す平面図である。
【図５】ＩＣタグＴ１に記憶される情報を説明するための図である。
【図６】ＩＣタグＴ２の要部構成を示す平面図である。
【図７】ＩＣタグＴ２に記憶される情報を説明するための図である。
【図８】撮像装置１の基本的な動作を示すフローチャートである。
【図９】撮像装置１を有する情報伝送システム７の構成を示す概念図である。
【符号の説明】
【００６４】
１  撮像装置
７  情報伝送システム
１７  スライドカバー
１９  電源スイッチ
３０  撮影レンズ
３３  撮像部
４０  全体制御部
４１  電源部
５０、６０  メモリ部
５１、６１  アンテナ
５２  電源部
７０  ＤＴＶ
Ｐ１  使用位置
Ｐ２  不使用位置
Ｔ１  ＩＣタグ（電源内蔵タイプ）
Ｔ２  ＩＣタグ（電源非内蔵タイプ）
【図１】
2006208674.tif 000003
【図２】
2006208674.tif 000004
【図３】
2006208674.tif 000005
【図４】
2006208674.tif 000006
【図５】
2006208674.tif 000007
【図６】
2006208674.tif 000008
【図７】
2006208674.tif 000009
【図８】
2006208674.tif 000010
【図９】
2006208674.tif 000011